(57)【要約】【課題】主目的は、幅方向規制板と後端規制板とを連動させる構成とすることにより、操作性を向上せしめた転写材収納装置を提供すること。【解決手段】転写材の幅方向を規制する幅方向規制板を転写材収納台上でスライド移動させ、当該幅方向規制板の位置移動に応じて、転写材の後端を規制する後端規制板または後端規制板を着脱可能に保持できる後端規制板保持手段を連動させることを特徴とする転写材収納装置。【選択図】図２
2008127195.tif 000002
【特許請求の範囲】
【請求項１】
転写材の幅方向を規制する幅方向規制板を転写材収納台上でスライド移動させ、当該幅方向規制板の位置移動に応じて、転写材の後端を規制する後端規制板または後端規制板を着脱可能に保持できる後端規制板保持手段を連動させることを特徴とする転写材収納装置。
【請求項２】
転写材の幅方向を規制する幅方向規制板と転写材の後端を規制する後端規制板または後端規制板を着脱可能に保持できる後端規制板保持手段とを、ワイヤと可回転のワイヤ懸架部材とを含む連結手段を介して結合したことを特徴とする転写材収納装置。
【請求項３】
転写材の幅方向を規制する２つの幅方向規制板の内、１つの幅方向規制板は転写収納台上に固設してあることを特徴とする請求項１または２に記載の転写材収納装置。
【請求項４】
転写材の幅方向を規制する２つの幅方向規制板は、転写材収納台上において、互いに逆方向に位置移動するように連結してあることを特徴とする請求項１または２に記載の転写材収納装置。
【請求項５】
前記連結手段は、更に後端規制板の緩衝部材としての弾性体を含んでいることを特徴とする請求項２に記載の転写材収納装置。
【請求項６】
転写材の幅方向を規制する２つの幅方向規制板と、転写材の後端を規制する後端規制板を着脱可能に保持できる２つの後端規制板保持手段とを有するとともに、前記幅方向規制板の内の１つの幅方向規制板と前記２つの後端規制板保持手段のそれぞれとを、ワイヤと可回転のワイヤ懸架部材とを含む専用の連結手段を介して結合したことを特徴とする転写材収納装置。
【請求項７】
２つの幅方向規制板は、転写材収納台上において、互いに逆方向に位置移動するように連結してあることを特徴とする請求項６に記載の転写材収納装置。
【請求項８】
転写材の幅方向を規制する幅方向規制板と転写材の後端を規制する後端規制板または後端規制板を着脱可能に保持できる後端規制板保持手段とを有し、かつ、前記幅方向規制板をラック、ピニオン機構により互いに反対方向に位置移動できるように構成した転写材収納装置において、
前記後端規制板にラックギヤを一体的に設けるとともに、当該ラックギヤと噛み合うピニオンギヤを位置固定で設け、また、
前記幅方向規制板の何れか一方の幅方向規制板に設けた、前記とは別のラックギヤと、当該ラックギヤと噛み合うピニオンギヤを位置固定で設け、更に、
前記２つのピニオンギヤを中間ギヤを介して噛み合わせることにより、前記幅方向規制板と後端規制板とを連動させる用に構成したことを特徴とする転写材収納装置。
【請求項９】
請求項１，２、６または８に記載の転写材収納装置を有することを特徴とする画像形成装置。
【発明の詳細な説明】
【技術分野】
【０００１】
本願発明は、改良した転写材収納装置および当該収納装置を搭載した、複写機、プリンタ、ＦＡＸ、或いは、それらの複合機等の画像形成装置に係わる。
【背景技術】
【０００２】
感光ドラム（像担持体）上に原稿からの反射光を照射して静電潜像を形成し、次いで、現像装置を用いて前記静電潜像をトナー像となした後、例えば、普通紙からなる転写材上に前記トナー像を転写し、更に、定着処理を施して複写（記録）画像を得る構成の画像形成装置はよく知られている。
【０００３】
また、原稿からの走査反射光をライン状ＣＣＤに順次結像させるとともに、画像処理等、適宜の処理を行って得た画像データ、あるいは、外部機器から入力された画像データに基づいて変調したレーザ光を帯電後の感光ドラムに照射して静電潜像を形成する方法を用いた画像形成装置も公知である。
【０００４】
これら画像形成装置は、転写材を収納する転写材収納装置を内蔵するか、または外付け形式の転写材収納装置を含む給紙装置を有している。
【０００５】
前記転写材収納装置は、一般に、転写材を載置できる転写材収納台と、載置される転写材の幅方向を規制するための左右２つの幅方向規制板と、転写材の後端を規制する１つの後端規制板を備えている。
【０００６】
そして、前記幅方向規制板は可動であり、ラックとピニオンからなる連結手段を介して、互いに転写材収納台上を逆方向にスライドし、サイズの異なる転写材に適応できるように構成されている。
【０００７】
スライドされる幅方向規制板は、転写材収納台上に表示したサイズ別のマークを目安として所定位置に移動され、そこで実質的に位置固定される。
【０００８】
一方、後端規制板は、別途の手操作により所定位置に移動されて固定されるか、転写材収納台に予め形成されている所定の装着口に差し込まれて着脱可能に位置固定されるようになっている。
【０００９】
前記転写材収納装置における規制板の位置移動は、手操作により実施される一般的な形態であるが、電気的に規制板を移動させる形態の転写材収納装置もある。
【００１０】
この転写材収納装置の一例は次のような構成を有する。
【００１１】
即ち、転写材収納台上において互いに直交する態様で配置される２つの光検出器アレイを備え、転写材を載置したときに当該転写材で遮蔽される光検出器の情報を基に、コントローラにより転写材のサイズを決定する。
【００１２】
そして、転写材の幅方向規制板駆動用のモータおよび後端規制板駆動用のモータにそれぞれ通電制御して、サイズに対応した位置に幅方向規制板と後端規制板を移動させる（例えば、特許文献１を参照。）。
【特許文献１】特許第３７９５８５８号公報
【発明の開示】
【発明が解決しようとする課題】
【００１３】
しかしながら、手操作による構成の転写材収納装置においては、幅方向規制板の移動と後端規制板の移動との２度の操作を必要とするので手間が掛かり、面倒である。
【００１４】
また、電気的制御により規制板を移動させる構成の転写材収納装置においては、光検出器アレイやそれぞれの規制板に専用のモータを備えなければならないので、装置の複雑化、大型化を招きやすく、また、コスト面でも高価になるという問題がある。
【００１５】
更に、後者においては、転写材収納台上に転写材を載置した後でなければ規制板を駆動することができず、また、例えば、載置した数百枚の転写材が正規の位置からはずれたり、或いは斜めに置かれたとき、それぞれの規制板により正規位置に位置移動させることになるので転写材の損傷など、種々のトラブルの発生が危惧される。
【００１６】
本願発明は、上記のような点に鑑みてなされたもので、その主目的は、幅方向規制板と後端規制板とを連動させる構成とすることにより、操作性を向上せしめた転写材収納装置を提供することにある。
【課題を解決するための手段】
【００１７】
本願発明の目的は、下記の構成要件により達成することができる。
【００１８】
（１）
転写材の幅方向を規制する幅方向規制板を転写材収納台上でスライド移動させ、当該幅方向規制板の位置移動に応じて、転写材の後端を規制する後端規制板または後端規制板を着脱可能に保持できる後端規制板保持手段を連動させることを特徴とする転写材収納装置。
【００１９】
（２）
転写材の幅方向を規制する幅方向規制板と転写材の後端を規制する後端規制板または後端規制板を着脱可能に保持できる後端規制板保持手段とを、ワイヤと可回転のワイヤ懸架部材とを含む連結手段を介して結合したことを特徴とする転写材収納装置。
【００２０】
（３）
転写材の幅方向を規制する２つの幅方向規制板と、転写材の後端を規制する後端規制板を着脱可能に保持できる２つの後端規制板保持手段とを有するとともに、前記幅方向規制板の内の１つの幅方向規制板と前記２つの後端規制板保持手段のそれぞれとを、ワイヤと可回転のワイヤ懸架部材とを含む専用の連結手段を介して結合したことを特徴とする転写材収納装置。
【００２１】
（４）
転写材の幅方向を規制する幅方向規制板と転写材の後端を規制する後端規制板または後端規制板を着脱可能に保持できる後端規制板保持手段とを有し、かつ、前記幅方向規制板をラック、ピニオン機構により互いに反対方向に位置移動できるように構成した転写材収納装置において、
前記後端規制板にラックギヤを一体的に設けるとともに、当該ラックギヤと噛み合うピニオンギヤを位置固定で設け、また、
前記幅方向規制板の何れか一方の幅方向規制板に設けた、前記とは別のラックギヤと、当該ラックギヤと噛み合うピニオンギヤを位置固定で設け、更に、
前記２つのピニオンギヤを中間ギヤを介して噛み合わせることにより、前記幅方向規制板と後端規制板とを連動させる用に構成したことを特徴とする転写材収納装置。
【００２２】
（５）
前記（１），（２），（３）または（４）に記載の転写材収納装置を有することを特徴とする画像形成装置。
【発明の効果】
【００２３】
（１）に係わる発明は、幅方向規制板の動きに後端規制板を連動させるので、１動作で転写材の幅方向と後端とを規制する準備を完了することができ、転写材収納装置として操作性がよい。
【００２４】
（２）に係わる発明は、（１）と同様に操作性がよく、また、連動のための連結手段を簡単な機構で構成することができるので、装置の大型化を抑制でき、コスト面でも有利である。
【００２５】
（３）に係わる発明は、（１）と同様に操作性がよく、また、転写材の載置方向（給紙方向に対して、転写材の短辺が位置するように載置されるか、長辺が位置するように載置されるか）により後端規制板の位置を変えるので、安定した後端規制ができ、結果、高い給紙性能を維持することができる。
【００２６】
（４）に係わる発明は、（１）と同様に操作性のよい転写材収納装置が得られる。
【００２７】
（５）に係わる発明は、（１）乃至（４）に記載の転写材収納装置を搭載した画像形成装置であり、転写材のセットが迅速にできる等の操作性に優れている。
【発明を実施するための最良の形態】
【００２８】
本発明に係わる実施の形態について、以下、図面を参照しながら説明する。
【００２９】
図１は、本発明に係わる画像形成装置の実施の形態を示す概略図である。
【００３０】
なお、デジタルカラー複写機からなる画像形成装置を示す図１の説明をした後に、本願発明に係わる転写材収納装置の説明を図２を用いて行うこととする。
【００３１】
本実施の形態における画像形成装置は、装置本体上部に自動原稿送り装置１を有するとともに、内部に画像読み取り部２、画像形成部３、ベルトユニット４のためのベルト設置部、給紙部５、定着装置Ｔ、反転排紙・再給紙部６、および、反転搬送手段であるＡＤＵ７を有している。
【００３２】
前記自動原稿送り装置１は、原稿を１枚ずつ送り出して画像読み取り位置へと搬送し、画像読み取りが終わった原稿を所定の場所に排出する装置である。
【００３３】
前記自動原稿送り装置１は、原稿を載置する原稿載置台１０１、載置された原稿を分離する原稿分離手段１０３、分離された原稿を搬送する原稿搬送部１０５、搬送された原稿を排紙する原稿排紙手段１０７、排紙された原稿を載置する原稿排紙台１０９、および、原稿の両面の画像を読み取る両面コピーモードにおいて、当該原稿の表裏面を反転させるべく使用されるローラ対からなる原稿反転手段１１１を有している。
【００３４】
処理プロセスがらみで述べるに、前記原稿載置台１０１上に載置された複数枚の原稿（不図示）は、原稿分離手段１０３によって１枚づつ分離され、前記原稿搬送部１０５を介して画像読み取り位置に向けて搬送される。
【００３５】
前記原稿読み取り位置は、前記原稿搬送部１０５の下方部に設けられており、そこで、画像読み取り装置２を構成するスリット２０１を介して、原稿の画像が読み取られ、読み取られた原稿は原稿排紙手段１０７によって原稿排紙台１０９上に排出される。
【００３６】
なお、両面コピーモードにおいては、片面が読み取られて搬送されてくる原稿は前記原稿反転手段１１１により二点鎖線の矢印で示す方向に搬送され、進行方向における後端を咬んでいる状態で当該原稿反転手段１１１の駆動が停止された後の逆方向回転により前記原稿搬送部１０５を介して、再び画像読み取り位置に導かれ、しかる後、前記原稿排紙手段１０７によって原稿排紙台１０９上に排出される。
【００３７】
上記の工程は、原稿載置台１０１上に載置された原稿の枚数分繰り返される。
【００３８】
前記画像読み取り装置２は、前記スリット２０１、原稿を照射するためのランプ２１３と原稿からの反射光を反射させる第１ミラー２１５とを一体化してなる第１ミラーユニット２０５、第１ミラー２１５からの光を反射させる第２ミラー２１７と第３ミラー２１９とを略Ｖ字状に一体化してなる第２ミラーユニット２０７と、当該第３ミラー２１９からの反射光を撮像素子上に結像させる結像レンズ２０９、および、結像レンズ２０９によって結像された光像を光電変換して画像情報を得るライン状の撮像素子（以下、ＣＣＤという）２１１を有している。
【００３９】
前記画像情報は、適宜の画像処理を施された後、一旦、図示しないメモリに蓄積されるようになっている。
【００４０】
前記自動原稿送り装置１によって送られている原稿を、画像読み取り装置２で読み取る態様においては、第１ミラーユニット２０５及び第２ミラーユニット２０７は、図示の如き位置に固定されている。
【００４１】
前記画像読み取り装置２によって読み取られた各色毎の画像信号はメモリより順次取り出され、静電荷潜像形成手段である各露光光学系にそれぞれ電気信号として入力される。
【００４２】
前記画像形成部３は色分解画像に応じたトナー像を形成するイエロー（Ｙ）、マゼンタ（Ｍ）、シアン（Ｃ）、黒（ＢＫ）の４組の画像形成手段（以下、画像形成ユニットという）３０を含む。
【００４３】
それぞれの画像形成ユニット３０は、例えば、有機光導電体を含有させたポリカーボネイトなどの樹脂よりなる感光層をドラム状の金属基体上に設けてなる像担持体（以下、感光体ドラムという）３１０、スコロトロン形式からなる帯電器３２０、画像書き込み手段（静電荷潜像形成手段と同義）である露光光学系３３０、静電荷潜像を顕像化する現像装置８、転写手段３４０、転写後の感光体ドラム３１０の表面をクリーニングするブレード（クリーニング手段）を含むクリーニング装置３５０を主要構成要素とする。
【００４４】
前記現像装置８は、磁性キャリア（以下、単にキャリアという）と非磁性トナー（以下、単にトナーという）とを含む二成分現像剤を収納し、また、位置固定であって周方向に複数の磁極を配列せしめた磁石を内蔵する可回転、かつ、非磁性の円筒形状からなる現像剤担持体（現像スリーブ）等を有しているが、この構成自体は公知なので詳細な説明は割愛する。
【００４５】
なお、前記露光光学系３３０はレーザ光学系で構成される露光ユニットであり、また、前記転写手段３４０は後述する回転ベルト４０１を介して前記感光体ドラム３１０の周面一部に対向している。
【００４６】
上述した４組の前記画像形成ユニットの機械的構成は基本的に同じであるので、参照符号は１組みのユニットについてのみ付し、他のユニットについては省略してある。
【００４７】
それぞれの画像形成ユニット３０は、ベルト設置部において縦方向に長く配設された、ベルトユニット４を構成するループ状の回転ベルト（以下、中間転写ベルトという）４０１の一平面（張設面）Ａに沿って、上から、イエロー、マゼンタ、シアン、黒の順に配列されている。
【００４８】
前記中間転写ベルト４０１と、当該中間転写ベルトを回転可能に懸架する支持ローラ４０５、４０６、４０７、および、バックアップローラ４１０等がベルトユニット４を構成し、また、前記バックアップローラ４１０は、中間転写ベルト４０１を挟んで当該バックアップローラと押圧しながら回転するように対向配置した転写ローラ５１０とで二次転写手段を構成している。
【００４９】
上記の画像形成ユニット３０とベルトユニット４の構成とによる画像形成は次のようになされる。
【００５０】
画像形成プロセスの開始に伴って、反時計方向に回転する感光体ドラム３１０の表面は帯電器３２０により所定の極性に帯電される。
【００５１】
次いで、露光光学系３３０による第１の色信号、即ち、イエロー（Ｙ）の画像信号に対応する露光が施され、当該（Ｙ）の画像に対応する潜像が前記感光体ドラム３１０上に形成される。
【００５２】
前記潜像は現像装置８の現像剤による接触または非接触現像処理により反転現像されて（Ｙ）のトナー像に変換された後、転写手段３４０の作用によって中間転写ベルト４０１上に転写される。
【００５３】
第１の色信号による画像形成開始から所定の時間後に順次開始される他の色信号による画像形成は上記と同様のプロセスにより、マゼンタ（Ｍ）、シアン（Ｃ）、黒（ＢＫ）の各画像形成ユニットによって作られ、それぞれのトナー像が前記（Ｙ）のトナー像のある画像領域と重畳するように順次転写され、前記中間転写ベルト４０１上に重ね合わせのカラートナー像が形成される。
【００５４】
一方、転写処理終了後の前記感光体ドラム３１０の表面はクリーニング手段３５０で清掃され、新たな画像形成のための準備が整えられる。
【００５５】
なお、前記感光体ドラム３１０、あるいは、中間転写ベルト４０１に対する個々の画像形成プロセスの開始タイミングは、前記中間転写ベルト４０１の一方の側、本実施の形態においては外側であって、前記中間転写ベルトの回転方向に見て、前記転写ローラ５１０のある位置から１組目（イエロー）の画像形成ユニットが設けてある位置までの区間に付設したレジストセンサ４１３が、当該中間転写ベルト４０１に設けた、例えば、塗料を用いて形成した基準マークを検知した時を起点として計時を行い、所定時間経過毎に、順次、（Ｙ）、（Ｍ）、（Ｃ）、（ＢＫ）プロセスを開始させるように構成してある。
【００５６】
前記レジストセンサ４１３による検知信号を取り込み、計時を監視するとともに、個々のプロセス等に関する制御はコンピュータを含む制御部（制御手段）Ｓで行う。
【００５７】
次に、中間転写ベルト上に形成されたカラートナー画像が用紙Ｐに転写され、装置外に排紙されるまでの工程に絡めて、装置のその他の構成につき簡単に述べる。
【００５８】
前記中間転写ベルト４０１上における画像形成に対応した適宜のタイミングで、転写材（以下、用紙という）Ｐが給紙部５の送り出し部５０１（５１１、５２１）に位置する給紙ローラ５０３（５１３、５２３）によって給紙され、分離ローラ５０６、および給紙経路上に設けた複数の搬送ローラ対Ｒ１〜Ｒ７を介して、レジストローラ５５１に向けて搬送される。
【００５９】
給紙される用紙Ｐは、記録枚数、記録開始釦、或いは、記録倍率やトナー濃度等を設定することができる操作盤１１１上で指定されたサイズの用紙であるが、他の公知技術を用いて選択することもできる。
【００６０】
前記用紙Ｐは、前記レジストローラ５５１に当接された後、当該前記レジストローラ５５１の回転再開によって前記中間転写ベルト４０１上のカラートナー像領域と重畳するように再給紙される。
【００６１】
次いで、前記用紙Ｐは二次転写部において前記バックアップローラ４１０と前記転写ローラ５１０とにより前記中間転写ベルトとともに押圧挟持されながらニップ部から送り出され、この間に、前記中間転写ベルト４０１上のカラートナー画像が前記用紙Ｐ上に転写される。
【００６２】
転写の際、前記転写ローラ５１０に適宜の転写バイアス電圧を印加するように構成することが望ましい。
【００６３】
トナー像が転写された前記用紙Ｐは、例えば、不図示の分離爪の作用を受けながら前記中間転写ベルト４０１から分離され、定着装置Ｔに向けて搬送される。
【００６４】
前記定着装置Ｔは定着ヒータを内蔵する定着ローラＴ１と、当該定着ローラと圧接しながら回転する圧着ローラＴ２とを有し、画像を形成しているカラートナーは、両ローラによる加熱・加圧により溶融され、用紙Ｐ上に定着される。
【００６５】
定着装置Ｔによる定着処理終了後の用紙Ｐは、その下流に設けてある排紙ローラ６０３により搬送され、装置本体外に設けてある排紙トレイ上に排出される。
【００６６】
一方、二次転写終了後の前記中間転写ベルト４０１の表面はブレードからなるクリーニング手段４１５によってクリーニングされ、新たなトナー像を担持する準備がなされる。
【００６７】
また、図において、通路切替部材６０１の実線位置は定着処理後に用紙Ｐの上下面を反転させて排出する場合に保持される位置であり、破線位置は、上述の如く、定着装置から送り出された用紙をそのまま排出する際に保持される位置である。
【００６８】
例えば、用紙Ｐの反転排出においては、前記定着装置Ｔから送り出された用紙Ｐは前記通路切替部材６０１の右側の辺に沿って下方に案内され、ローラ対６０２によって進行方向における後端が挟持された状態とされた後の当該ローラ対６０２の逆回転により上昇され、前記切替部材６０１の左側の辺を通って前記排紙ローラ６０３に達し、かつ、当該排紙ローラで排出されるように規制される。
【００６９】
更に、前記ＡＤＵ７を用いる両面コピーモードの場合の用紙Ｐの挙動は、反転排出の場合と同様に、片面に画像が形成された定着処理後の用紙Ｐを前記切替部材６０１の右側の辺に沿って下方に導き、進行方向における用紙Ｐの後端をローラ対６０５により挟持した状態で搬送停止せしめた後、当該ローラ対６０５を逆回転せしめ、ガイド板Ｇに沿って上昇させ、複数のローラ対７０１、７０３、７０５を有するＡＤＵ７に導くことで用紙Ｐの反転を達成する。
【００７０】
用紙Ｐの第２面に対する画像形成プロセスは前述と同じであり、前記定着装置Ｔから送り出された後の排出については前述した何れかを選択することになる。
【００７１】
次に本願発明に係わる転写材収納装置について説明する。
【００７２】
図２は、転写材収納装置の第１の実施形態であり、図１における転写材収納装置（９０，９２，９４）の構成を説明するための概略上面図である。
【００７３】
前記転写材収納装置は基本的に同じ構成を有するが、転写材収納装置９０を代表として示す。
【００７４】
なお、図において、説明の便宜上、破線で示すべき部材についても実線で示してある。
【００７５】
転写材収納装置９０は、皿状の外枠９００と、当該外枠９００の内部に形成されている平面状の転写材収納台９０１と、転写材の幅方向を規制するための幅方向規制板９０２（場合により左規制板という）、９０３（場合により右規制板という）と、転写材の後端を規制するための後端規制板９０４とを有している。
【００７６】
前記幅方向規制板９０２，９０３は、給紙方向（用紙の送り出し方向の意で、図において上方向）に対して平行に置かれ、かつ、所定距離をおいて対向配設されている。
【００７７】
また、図では省略してあるが、両規制板はラック、ピニオン機構等の連結機構を介して連結されており、転写材収納台９０１上をセンタ中心で互いに逆方向に同じ距離をスライド移動できるように構成されている。
【００７８】
また、前記後端規制板９０４は、前記幅方向規制板の移動方向と直交する方向、即ち、用紙の給紙方向（図において上下方向）において転写材収納台９０１上をスライド移動できるように構成してある。
【００７９】
なお、実施の態様においては左規制板９０２と前記後端規制板９０４とは連結手段（連結機構）を介して連動可能になっている。
【００８０】
前記後端規制板９０４は着脱式としてもよく、その場合、図における参照符号９０４は、後端規制板を着脱可能に保持できる後端規制板保持手段を示すことになる。
【００８１】
参照符号９０５として二点鎖線で示してあるのは中板で、図の下端側を支点として回動するように転写材収納台等の固定部材に保持されている。
【００８２】
換言すれば、前記中板９０５は、収納される用紙の最上位紙と前記給紙ローラ５０３（図１）との接触圧力が所定の圧力範囲に維持されるようにバネ等で付勢され、用紙の減量に応じて回動するようになっているが、この辺の構成は公知であるので説明は省略する。
【００８３】
外枠９００の内側に示される参照符号９０７は用紙の先端を規制する先端規制部材で、外枠と一体的に形成した複数の突部からなる。
【００８４】
参照符号９５は連結手段（連結機構）を示し、ワイヤ等の線材Ｗ１，Ｗ２、可回転かつ固定位置を有するワイヤ懸架部材９５０乃至９５３、緩衝部材として機能する弾性体９５４，９５５を含んでいる。
【００８５】
前記ワイヤ等の線材とは、金属製の線材のみならず、当該構成における所期の機能を有するものであれば樹脂性の線材であってもよく、以下、本明細書においては、線材を総称してワイヤＷ１，Ｗ２と呼称することとする。
【００８６】
また、前記ワイヤの太さは格別に限定されるものではなく、実用的な範疇のものを適宜選択することができる。
【００８７】
本実施の形態における前記弾性体はコイルスプリングであり、ワイヤ懸架部材はプーリで構成した。
【００８８】
前記ワイヤＷ１は、一端が前記左規制板９０２に固定され、ワイヤ懸架部材９５０，９５１，９５２を介して第１弾性体９５４に結合され、更に、当該第１弾性体９５４を介して前記後端規制板９０４に他端が固定されている。
【００８９】
前記ワイヤＷ２は、前記後端規制板９０４に一端が固定され、ワイヤ懸架部材９５３を介して第２弾性体９５５に結合され、更に、当該第２弾性体９５５を介して外枠９００に固定されている。
【００９０】
なお、前記ワイヤ懸架部材９５２はワイヤＷ１にテンションを付与するように、ワイヤ懸架部材９５０から下降してワイヤ懸架部材９５１に至ったワイヤを持ち上げるような位置に付設されている。
【００９１】
また、ワイヤ懸架部材９５２、９５３、第１弾性体９５４、および、後端規制部材９０４は転写材収納台の中心部において一直線上に配列されている。
【００９２】
前記連結手段９５および幅方向規制板の連結機構等は、前記転写材収納台９０１の裏側に設けられている。
【００９３】
転写材収納装置は上述のような構成であるので、例えば、最外側位置にある左規制板９０２に対して手操作により右方向に駆動力を与えると、当該左規制板は転写材収納台９０１上を右方向にスライド移動し、連結機構を介した動力が右規制板を左方向にスライド移動させる。
【００９４】
同時に、左規制板９０２の移動によりワイヤＷ１が引っ張られ、弾性体９５４を介して前記後端規制板９０４を図において上方向にスライド移動させる。
【００９５】
前記後端規制板９０４の移動量は、例えば、前記左規制板の移動量と等量（幅方向規制板と表現するとすると２：１の移動量となる）であるが、他の比率とすることも可能である。
【００９６】
例えば、ワイヤ懸架部材９５０，９５１，９５２の何れか１つを図４に示すような二段プーリにするとともに、両プーリの直径（Ｌ１，Ｌ２）を異ならしめることにより、幅方向規制板と後端規制板の移動量（Ｍ１，Ｍ２）の比を適宜の比率に変えることができる。
【００９７】
前記第１弾性体９５４は、例えば、後端規制板９０４が移動している途上で用紙の後端に当接したような場合、それ以上のワイヤＷ１の移動による引っ張り力を吸収する機能を有する。
【００９８】
上記操作により、選択された用紙の幅方向と後端とが規制でき、高い給紙性能を維持することを可能とする。
【００９９】
また、前記第２弾性体９５５は、前記幅方向規制板の駆動に伴って移動する後端規制板９０４により引っ張られる態様であり、徐々に復元力を増大させる（蓄勢されるの意）。
【０１００】
前述の如く蓄積された復元力は、例えば、次の前記幅方向規制板９０２，９０３の開き勝手方向への駆動において、ワイヤのたるみがない状態での後端規制板９０４の移動等を可能とする。
【０１０１】
この際、前記第１弾性体９５４も蓄勢されていれば、同様の作用を示す。
【０１０２】
更に、前記幅方向規制板と後端規制板との間に設けられた第１弾性体９５４、換言すれば、ワイヤＷ１上であって後端規制板の近傍に設けられた前記第１弾性体９５４は、所定位置に移動された後、転写材収納台９０１上に収納される用紙の後端により広がり方向に移動される場合、後端規制板の移動を容易に許容するように作用する。
【０１０３】
但し、第１弾性体９５４は、場合によりなくすことができる。
【０１０４】
上記において、参照符号９０４で示される部材を後端規制板として説明したが、当該部材は後端規制板を着脱可能に固定できる後端規制板保持手段であってもよい。
【０１０５】
また、用紙を片側基準で転写材収納台上に位置せしめる仕様の場合、連結手段と関係しない幅方向規制板を転写材収納台上に固設することにより達成することができる。
【０１０６】
以上の通り、第１の実施形態における連動手段の構成は簡素であり、操作性がよいばかりでなく、装置の大型化を抑制でき、更に、コストも安価ですむメリットがある。
【０１０７】
次に、図３を用いて本願発明に係わる転写材収納装置の第２の実施の形態を説明する。
【０１０８】
図３は図２と同様に説明用の概略上面図であり、基本的構成は図２と同様であるので、不要と思われる部材は削除した。
【０１０９】
また、便宜上、図２の構成と異なる構成の部分を主として説明し、重複した説明は避けることとする。
【０１１０】
図において、既出の部材と実質的に同じ部材については同一の参照符号を付してある。
【０１１１】
参照符号９５１−１，９５２−１，９５３−１は、第１の後端規制板保持手段９７０と異なった位置に設けた第２の後端規制板保持手段９７０−１により着脱可能に保持される第２後端規制板のための第２連結手段を構成する。
【０１１２】
上記から理解されるように、本実施の形態における後端規制板は着脱式になっている。
【０１１３】
９５１−１はワイヤの一端を固定したワイヤ懸架部材であり、その回転軸と同軸上には適宜の歯数を有する歯車（図示せず：便宜上、歯車Ｇ１と呼称する）が取り付けてある。
【０１１４】
当該歯車Ｇ１は、ワイヤ懸架部材９５０の回転軸と同軸上に設けられる適宜の歯数の歯車（図示せず：便宜上、歯車Ｇ２と呼称する）と噛み合っており、ワイヤＷ１の移動量に対して後端規制保持手段９７０−１の移動量を変えることができる。
【０１１５】
斯様な構成としたのは、例えば、Ａ４サイズの転写材を縦送りに給紙する場合は後端規制板保持手段９７０に後端規制板を装着して使用し、また、同サイズの転写材を横送りに給紙する場合は後端規制板保持手段９７０−１に後端規制板を装着して使用することを意としたものである。
【０１１６】
２つの前記後端規制板保持手段９７０および９７０−１は、転写材収納台９０１上に載置収納される転写材の後端中央部にそれぞれに専用の後端規制板の一部が当接するように位置付けられている。
【０１１７】
尚、転写材の縦送りとは、給紙方向と同方向に転写材の長辺が存在し、また、転写材の横送りとは、給紙方向と同方向に短辺が存在する態様をいう。
【０１１８】
上記構成からなる転写材収納装置は、操作性がよく、また、転写材の載置方向により後端規制板の位置を上述のような位置に変えるので、安定した後端規制ができ、結果、高い給紙性能を維持することができる。
【０１１９】
但し、後端規制板が所定幅を有し、安定した規制ができる限り、転写材の後端中央部と当接する部分を有する必要はない。
【０１２０】
また、転写材収納台上における転写材の載置位置が中央基準ではなく片側基準であっても、上記転写材収納装置は適用できる。
【０１２１】
その際には、第１の実施の形態におけると同様に、幅方向規制板間の連結手段は不要となり、左規制板９０２のスライド移動および位置固定を可能とする構成が必要となる。
【０１２２】
更に、図２で示した弾性体９５４と同じ弾性体を、それぞれの後端規制板保持手段に対して同様の位置に設けることがより好ましい。
【０１２３】
なお、第１の実施の形態において、連結手段をワイヤ方式としたが、図５に示すように、連結手段をギヤ方式とすることができる。
【０１２４】
図５を簡単に説明すると、当該図は転写材収納装置の第３の実施の形態を示す概略図であり、図において、既出の部材と同一の部材については同じ参照符号を付してある。
【０１２５】
幅方向規制板９０２（左規制板），９０３（右規制板）には、水平方向に伸びるラックギヤが固設対向され、両ギヤに噛み合っている位置固定のピニオンギヤＺの存在により、互いに反対方向に同時移動可能に構成されている。
【０１２６】
また、後端規制板或いは後端規制板保持手段（９０４）に固設せしめたラックギヤに噛み合うピニオンギヤＺ２と、右規制板９０３の前記とは反対側に設けたラックギヤと噛み合うピニオンギヤＺ１とを有するとともに、両者間に設けられた中間ギヤ（参照符号なし）を介して両ピニオンギヤＺ１，Ｚ２が噛み合っている構成を有する。
【０１２７】
上記の構成を有するので、今、幅方向規制板９０２或いは９０３を水平方向に操作すると、両幅方向規制板は互いに反対方向に等量移動する。
【０１２８】
また、後端規制板９０４は、ピニオンギヤＺ１とＺ２の歯数に応じた量だけ、例えば上方に移動し、もって、所定サイズの転写材の幅方向および後端が所定位置にセットされる異になる。
【０１２９】
前記幅方向規制板と後端規制板との移動量を適宜に変えたい場合には、ピニオンギヤＺ１とＺ２の歯数を変えることにより達成できる。
【図面の簡単な説明】
【０１３０】
【図１】本発明に係わる画像形成装置の実施の形態を示す概略図である。
【図２】転写材収納装置の第１の実施形態であり、図１における転写材収納装置の構成を説明するための概略上面図である。
【図３】転写材収納装置の第２の実施の形態を示す概略上面図である。
【図４】幅方向規制板と後端規制板の移動量の比を変えるときの一実施例を示す連結手段の部分図である。
【図５】転写材収納装置の第３の実施の形態を示す概略図である。
【符号の説明】
【０１３１】
９０  転写材収納装置
９００  外枠
９０１  転写材収納台
９０２，９０３  幅方向規制板
９０４  後端規制板
９０５  中板
９５０，９５１，９５２，９５３  ワイヤ懸架部材
９５４，９５５  弾性体
【図１】
2008127195.tif 000003
【図２】
2008127195.tif 000004
【図３】
2008127195.tif 000005
【図４】
2008127195.tif 000006
【図５】
2008127195.tif 000007